【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
前記遊技領域に設けられ、遊技媒体の入賞が可能な第一特図始動口と、
前記遊技領域に設けられ、可動部材により遊技媒体の入賞が容易な状態と入賞が困難な状態とに切り替えられる第二特図始動口と、
前記遊技領域に設けられ、遊技媒体が通過または受け入れられる普図始動口と、
前記普図始動口への遊技媒体の通過または受け入れにもとづいて普図抽選を行うとともに、一の普図抽選の結果が特定の結果であるときに前記第二特図始動口への遊技媒体の入賞が容易な状態へと切り替える第二特図始動口開放制御手段と、
前記第一特図始動口への遊技媒体の入賞と前記第二特図始動口への遊技媒体の入賞とのうちいずれかにもとづいて特図抽選を行う特図抽選手段と、
前記特図抽選手段による一の特図抽選の結果にもとづいて所定の変動時間にわたって変動表示される変動表示手段と、
前記第一特図始動口への遊技媒体の入賞にもとづく変動表示を所定の上限数まで保留可能な第一特図変動表示保留手段と、
前記第二特図始動口への遊技媒体の入賞にもとづく変動表示を所定の上限数まで保留可能な第二特図変動表示保留手段と、
前記所定の変動時間として第一の時間を設定する第一変動時間設定手段と、
前記所定の変動時間として前記第一の時間よりも長い第二の時間を設定する第二変動時間設定手段と、
前記第一変動時間設定手段または前記第二変動時間設定手段により設定された変動時間にわたって前記変動表示手段において変動表示しうる変動表示制御手段と、
を備え、
前記第一変動時間設定手段は、
前記第一特図始動口への遊技媒体の入賞と前記第二特図始動口への遊技媒体の入賞とのうち前記第二特図始動口への遊技媒体の入賞にもとづいてのみ前記第一の時間を設定する手段を有し、
前記第二変動時間設定手段は、
前記第一特図始動口への遊技媒体の入賞にもとづいて前記第二の時間を設定する手段を有しており、
前記変動表示制御手段は、
前記第一の時間と前記第二特図変動表示保留手段により保留可能な前記上限数とを乗算した合計変動時間が、前記一の普図抽選の結果が特定の結果であることにもとづいて前記第二特図始動口への遊技媒体の入賞が容易な状態とされている合計時間よりも短くなるように変動表示する高速変動表示実行手段、及び
前記第二の時間と前記第一特図変動表示保留手段により保留可能な前記上限数とを乗算した合計変動時間が、前記一の普図抽選の結果が特定の結果であることにもとづいて前記第二特図始動口への遊技媒体の入賞が容易な状態とされている合計時間よりも長くなるように変動表示する通常変動表示実行手段を有する
ことを特徴とする遊技機。
【請求項２】
前記特図抽選手段は、
乱数を取得し、該取得した乱数を用いて前記特図抽選を行うものである
請求項１に記載の遊技機。
【請求項３】
所定の音響演出が行われるスピーカ装置をさらに備える
請求項１または２に記載の遊技機。
【手続補正２】
【補正対象書類名】明細書
【補正対象項目名】０００８
【補正方法】変更
【補正の内容】
【０００８】
請求項１に記載の遊技機は、遊技者の操作によって遊技媒体が打ち込まれる遊技領域と、前記遊技領域に設けられ、遊技媒体の入賞が可能な第一特図始動口と、前記遊技領域に設けられ、可動部材により遊技媒体の入賞が容易な状態と入賞が困難な状態とに切り替えられる第二特図始動口と、前記遊技領域に設けられ、遊技媒体が通過または受け入れられる普図始動口と、前記普図始動口への遊技媒体の通過または受け入れにもとづいて普図抽選を行うとともに、一の普図抽選の結果が特定の結果であるときに前記第二特図始動口への遊技媒体の入賞が容易な状態へと切り替える第二特図始動口開放制御手段と、前記第一特図始動口への遊技媒体の入賞と前記第二特図始動口への遊技媒体の入賞とのうちいずれかにもとづいて特図抽選を行う特図抽選手段と、前記特図抽選手段による一の特図抽選の結果にもとづいて所定の変動時間にわたって変動表示される変動表示手段と、
前記第一特図始動口への遊技媒体の入賞にもとづく変動表示を所定の上限数まで保留可能な第一特図変動表示保留手段と、前記第二特図始動口への遊技媒体の入賞にもとづく変動表示を所定の上限数まで保留可能な第二特図変動表示保留手段と、前記所定の変動時間として第一の時間を設定する第一変動時間設定手段と、前記所定の変動時間として前記第一の時間よりも長い第二の時間を設定する第二変動時間設定手段と、前記第一変動時間設定手段または前記第二変動時間設定手段により設定された変動時間にわたって前記変動表示手段において変動表示しうる変動表示制御手段と、を備え、前記第一変動時間設定手段は、前記第一特図始動口への遊技媒体の入賞と前記第二特図始動口への遊技媒体の入賞とのうち前記第二特図始動口への遊技媒体の入賞にもとづいてのみ前記第一の時間を設定する手段を有し、前記第二変動時間設定手段は、
前記第一特図始動口への遊技媒体の入賞にもとづいて前記第二の時間を設定する手段を有しており、前記変動表示制御手段は、前記第一の時間と前記第二特図変動表示保留手段により保留可能な前記上限数とを乗算した合計変動時間が、前記一の普図抽選の結果が特定の結果であることにもとづいて前記第二特図始動口への遊技媒体の入賞が容易な状態とされている合計時間よりも短くなるように変動表示する高速変動表示実行手段、及び前記第二の時間と前記第一特図変動表示保留手段により保留可能な前記上限数とを乗算した合計変動時間が、前記一の普図抽選の結果が特定の結果であることにもとづいて前記第二特図始動口への遊技媒体の入賞が容易な状態とされている合計時間よりも長くなるように変動表示する通常変動表示実行手段を有するようにしたものである。
請求項２に記載の遊技機は、請求項１に記載の遊技機において、前記特図抽選手段は、乱数を取得し、該取得した乱数を用いて前記特図抽選を行うようにしたものである。
請求項３に記載の遊技機は、請求項１または２に記載の遊技機において、所定の音響演出が行われるスピーカ装置をさらに備えるようにしたものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】０９５３
【補正方法】変更
【補正の内容】
【０９５３】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
例えば、手段１および手段２に記載の発明では、以下の構成を備えている。
手段１：大当たりについての抽選の結果に基づいて大当たり遊技が実行されるとともに、該大当たり遊技が実行されたのちの所定期間に限り通常遊技状態よりも遊技者に有利な有利遊技状態に制御される遊技機であって、所定の遊技領域内に設けられ、遊技球が通過可能なゲート部材、および、可動部材により入賞が容易な状態と入賞が困難な状態とに切り替えられる始動口と、前記ゲート部材を通過した遊技球を、その通過に応じた前記可動部材の動作によって入賞容易とされた前記始動口に高速入賞させる制御を実行可能な高速入賞制御手段と、前記高速入賞制御手段による制御によって、前記始動口への遊技球の高速入賞がある都度、前記大当りについての抽選が次々と高速消化される制御を実行可能な高速抽選消化制御手段と、前記始動口に遊技球の入賞があったとしても、前記高速抽選消化制御手段による制御よりも時間をかけて前記大当たりについての抽選を行うことによって該大当たりについての抽選が通常消化される制御される制御を実行可能な通常抽選消化制御手段と、を備え、前記有利遊技状態が開始されてから前記所定期間が経過するまでの間のうち少なくとも最後の特定期間については、前記大当たりについての抽選が前記高速抽選消化制御手段により通常消化されるように制御し、前記高速抽選消化制御手段による前記高速消化については、前記有利遊技状態が開始されてから前記最後の特定期間にいたるまでのうち任意の期間において実行するものであることを特徴とする遊技機。
手段２．大当たりについての抽選の結果に基づいて大当たり遊技が実行されるとともに、該大当たり遊技が実行されたのちの所定期間に限り通常遊技状態よりも遊技者に有利な有利遊技状態に制御される遊技機であって、遊技領域に発射される遊技球の発射強度を調整しうる発射調整手段と、前記発射調整手段により所定値以上の発射強度にて打ち出された遊技球が到達しうる高速遊技領域と、前記高速遊技領域に到達した遊技球をその球速度が減退され難い位置にて高さ方向に流下させる球速維持通路と、前記球速維持通路内にて設けられ、遊技球が通過可能なゲート部材、および、可動部材により入賞が容易な状態と入賞が困難な状態とに切り替えられる始動口と、前記球速維持通路内における前記ゲート部材を通過した遊技球を、その通過に応じた前記可動部材の動作によって入賞容易とされた前記始動口にそのまま高速入賞させる制御を実行可能な高速入賞制御手段と、前記高速入賞制御手段による制御によって、前記発射調整手段により所定値以上の発射強度にて打ち出された遊技球がその球速度を維持しながら前記球速維持通路内にある前記始動口に連続して次々と高速入賞されうる状況下において、それら遊技球の高速入賞がある都度、前記大当りについての抽選が次々と高速消化される制御を実行可能な高速抽選消化制御手段と、前記始動口に遊技球の入賞があったとしても、前記抽選高速消化制御手段による制御よりも時間をかけて前記大当たりについての抽選を行うことによって該大当たりについての抽選が通常消化される制御される制御を実行可能な通常抽選消化制御手段と、を備え、前記有利遊技状態が開始されてから前記所定期間が経過するまでの間のうち少なくとも最後の特定期間については、前記大当たりについての抽選が前記通常抽選消化制御手段により通常消化されるように制御し、前記高速抽選消化制御手段による前記高速消化については、前記有利遊技状態が開始されてから前記最後の特定期間にいたるまでのうち任意の期間において実行するものであることを特徴とする遊技機。
上記手段１又は手段２に記載された遊技機によれば、有利遊技状態が開始されてから当該有利遊技状態が終了するまでの所定期間が経過するまでの間のうち少なくとも最後の特定期間については、大当たりについての抽選が通常抽選消化制御手段により通常消化されるように制御し、有利遊技状態が開始されてから最後の特定期間にいたるまでのうち任意の期間においては、高速抽選消化制御手段による高速消化されるので、有利遊技状態における興趣の低下を抑制することができるようになる。